(57)【特許請求の範囲】
【請求項１】
上端部どうしが回動自在に連結された一対の開閉屋根フレームを有するとともに、該一対の開閉屋根フレームの上面側にそれぞれ膜材が設けられてなる複数の屋根ユニットが、互いに隣接するそれぞれの開閉屋根フレームの下端部どうしを回動自在に連結することによって接続され、
前記各屋根ユニットの頂部には、柔軟性を有する頂部覆い材が前記屋根ユニットの頂部を覆うようにして設けられ、
この頂部覆い材の内側には、弾性部材が上方に湾曲するように、その両端部をそれぞれ前記一対の開閉屋根フレームの上端部に固定して設けられ、
前記弾性部材は、前記頂部覆い材の内面に弾性的に当接することで、該頂部覆い材を常に張った状態にしていることを特徴とする開閉式膜屋根における雨仕舞構造。
【請求項２】
請求項１記載の開閉式膜屋根における雨仕舞構造において、前記弾性部材が板ばねで構成され、該板ばねが前記屋根ユニットの棟方向に所定間隔で複数配設されていることを特徴とする開閉式膜屋根における雨仕舞構造。
【請求項３】
上端部どうしが回動自在に連結された一対の開閉屋根フレームを有するとともに、該一対の開閉屋根フレームの上面側にそれぞれ膜材が設けられてなる複数の屋根ユニットが、互いに隣接するそれぞれの開閉屋根フレームの下端部どうしを回動自在に連結することによって接続され、
前記屋根ユニットの妻側には、壁体が全ての屋根ユニットの妻側開口を塞ぐようにして立設され、
前記互いに隣接する屋根ユニットの妻部間には、該妻部間を覆う妻部間覆い材が設けられ、
この妻部間覆い材は、屋根ユニットの開閉に伴って、展開・折畳み可能に構成されていることを特徴とする開閉式膜屋根における雨仕舞構造。
【請求項４】
請求項３記載の開閉式膜屋根における雨仕舞構造において、前記妻部間覆い材は、前記互いに隣接する屋根ユニットの妻部間に配設された一対のパネルで構成され、
一方のパネルは互いに隣接する屋根ユニットのうちの一方の屋根ユニットの開閉屋根フレームに回動自在に連結され、他方のパネルは他方の屋根ユニットの開閉屋根フレームに回動自在に連結され、
前記一対のパネルどうしは回動自在に連結されていることを特徴とする開閉式膜屋根における雨仕舞構造。
【請求項５】
請求項１〜４のいずれかに記載の開閉式膜屋根における雨仕舞構造において、
前記下端部どうしが連結された開閉屋根フレームの下端部間には、柔軟性を有する底部覆い材が前記開閉屋根フレームの下端部間を覆うようにして設けられていることを特徴とする開閉式膜屋根における雨仕舞構造。
【発明の詳細な説明】
【０００１】
【発明の属する技術分野】
本発明は、開閉屋根等を構成する屋根ユニットの頂部、妻部、および底部における雨仕舞構造に関するものである。
【０００２】
【従来の技術】
近年、室内の運動競技施設用等として、大規模な固定ドーム式屋根が採用されてきている。この固定ドーム式屋根の構造形式としては、単層トラスや複層トラスによる鉄骨トラス構造、ケーブル構造、これら鉄骨トラス構造およびケーブル構造を組み合わせた構造のものが知られている。
このような固定ドーム式屋根において、その鉄骨トラスに金属板などによる屋根仕上材を取付けたり、空気の充填により膨らんだ膜をケーブル構造により押さえる方式による膜構造の屋根としたものがある。
【０００３】
ところで、前記固定式ドーム屋根は、たとえ膜構造の屋根であっても、閉鎖的な雰囲気になることは否めない。
このため、近年、開閉式の膜屋根構造としたものが開発されつつある。この開閉式の膜屋根構造のフレームとして、例えば、上端部を回動自在に連結した一対の開閉屋根フレームで構成された屋根ユニットどうしを、それぞれの開閉屋根フレームの下端部を回動自在に連結することによってジャバラ状に形成しておき、該複数の屋根ユニットを走行路に沿って移動させつつ該屋根ユニットの開閉屋根フレームをその上端部を支点として開閉することによって、屋根を開閉することが考えられる。
【０００４】
【発明が解決しようとする課題】
ところで、前記屋根ユニットを複数連結して開閉式の膜屋根を構成する場合、各屋根ユニットの開閉屋根フレームに膜材を張設して屋根を形成するが、各屋根ユニットの頂部は、一対の開閉屋根フレームの上端部どうしを連結した構造となっており可動する部分であるので、この頂部に膜材等の頂部覆い材を設ける場合、該頂部覆い材を張った状態で取付けることが困難であり、頂部の可動量を見込んである程度緩い状態で取付けることになる。
したがって、前記頂部覆い材は、風等によって、屋根ユニットの頂部で、ばたついた状態になり易く、このように頂部覆い材がばたつくと、屋根ユニットの頂部に接触して、該頂部覆い材が傷付き易くなる。
また、前記頂部覆い材は、上述したようにある程度緩い状態で取付けられるので、屋根ユニットの開閉の際に、該頂部覆い材が屋根ユニットの頂部に接触して、該頂部覆い材が傷付き易くなる。
【０００５】
一方、前記開閉式の膜屋根は、屋根ユニットを複数連結することで構成され、各屋根ユニットには上述したように膜材が張設されるが、各屋根ユニットの妻部部は、開口した状態となっているので、この開口部からの風雨の侵入を防止する必要がある。
【０００６】
本発明は上記事情に鑑みてなされたもので、各屋根ユニットの頂部を覆う頂部覆い材がばたつくことなく、常に安定した状態を維持することができ、また、各屋根ユニットの妻部の開口部からの風雨の侵入を防止することができる開閉式膜屋根における雨仕舞構造を提供することを目的としている。
【０００７】
【課題を解決するための手段】
上記目的を達成するために、本発明の請求項１の開閉式膜屋根における雨仕舞構造は、上端部どうしが回動自在に連結された一対の開閉屋根フレームを有するとともに、該一対の開閉屋根フレームの上面側にそれぞれ膜材が設けられてなる複数の屋根ユニットが、互いに隣接するそれぞれの開閉屋根フレームの下端部どうしを回動自在に連結することによって接続され、
前記各屋根ユニットの頂部には、柔軟性を有する頂部覆い材が前記屋根ユニットの頂部を覆うようにして設けられ、
この頂部覆い材の内側には、弾性部材が上方に湾曲するように、その両端部をそれぞれ前記一対の開閉屋根フレームの上端部に固定して設けられ、
前記弾性部材は、前記頂部覆い材の内面に弾性的に当接することで、該頂部覆い材を常に張った状態にしているものである。
【０００８】
前記屋根ユニットはその長さ方向両端部が、平行離間して設けられた走行レールに支持されて該走行レール上を走行するが、屋根ユニットどうしは、互いに隣接するそれぞれの開閉屋根フレームの下端部どうしを、前記走行レール上を走行する走行体に回動自在に連結することによって接続される。
また、前記頂部覆い材としては、例えばクロロプレンゴム、高伸度膜材、Ａ種膜材（四フッ化エチレン樹脂コーティングガラス繊維布）等が使用されるがこれに限るものではなく、より透光性の高い膜材を使用することもできる。
前記頂部覆い材を設ける場合、例えば、前記屋根ユニットを構成する一対の開閉屋根フレームのそれぞれの上端部に、屋根ユニットの棟方向に延在する帯状の板材を固定し、これら板材に前記頂部覆い材の縁部を固定すればよい。
【０００９】
前記弾性部材は、前記一対の開閉屋根フレームの開閉によって、弾性的に上方に湾曲するようなものであればどのようなものでもよく、例えば、板ばねや、弾性的に湾曲可能な棒状のばねでもよい。
また、前記弾性部材を、一対の開閉屋根フレームのそれぞれの上端部に固定するには、例えば、弾性部材の両端部をそれぞれ開閉屋根フレームの上端部に溶接やボルト止め等によって固定すればよい。
【００１０】
請求項１の開閉式膜屋根における雨仕舞構造にあっては、各屋根ユニットの頂部に、柔軟性を有する頂部覆い材が前記屋根ユニットの頂部を覆うようにして設けられ、この頂部覆い材の内側において、上方に湾曲するようにして設けられた弾性部材が、前記頂部覆い材の内面に弾性的に当接することで、該頂部覆い材を常に張った状態にしているので、前記頂部覆い材は屋根ユニットの頂部において、ばたつくことなく安定した状態に維持されるとともに、屋根ユニットの開閉の際にも、常に安定した状態（張った状態）に維持され、屋根ユニットの頂部に接触することがない。
また、前記弾性部材は上方に湾曲しており、頂部覆い材には内接した状態で滑らかに当接するので、弾性部材によって頂部覆い材に傷等が付くことがない。
【００１１】
請求項２の開閉式膜屋根における雨仕舞構造は、請求項１において、前記弾性部材が板ばねで構成され、該板ばねが前記屋根ユニットの棟方向に所定間隔で複数配設されているものである。
前記板ばねは、例えばステンレス等の金属で形成されるが、これに限るものではなく、合成樹脂等によって形成してもよい。
【００１２】
請求項２の開閉式膜屋根における雨仕舞構造にあっては、請求項１と同様の作用効果を得ることができるのは勿論のこと、弾性部材を板ばねで構成したので、前記頂部覆い材の内面には、板ばねの上面が面接触した状態で当接するとともに前記板ばねを屋根ユニットの棟方向に所定間隔で複数配設したので、より安定的に頂部覆い材を張った状態に維持することができる。
【００１３】
請求項３の開閉式膜屋根における雨仕舞構造は、上端部どうしが回動自在に連結された一対の開閉屋根フレームを有するとともに、該一対の開閉屋根フレームの上面側にそれぞれ膜材が設けられてなる複数の屋根ユニットが、互いに隣接するそれぞれの開閉屋根フレームの下端部どうしを回動自在に連結することによって接続され、
前記屋根ユニットの妻側には、壁体が全ての屋根ユニットの妻側開口を塞ぐようにして立設され、
前記互いに隣接する屋根ユニットの妻部間には、該妻部間を覆う妻部間覆い材が設けられ、
この妻部間覆い材は、屋根ユニットの開閉に伴って、展開・折畳み可能に構成されているものである。
【００１４】
前記屋根ユニットは、請求項１の場合と同様に、その長さ方向両端部が、平行離間して設けられた走行レールに支持されて該走行レール上を走行するが、屋根ユニットどうしは、互いに隣接するそれぞれの開閉屋根フレームの下端部どうしを、前記走行レール上を走行する走行体に回動自在に連結することによって接続される。
【００１５】
また、前記壁体は、例えば、前記走行レールを設けるキールトラスから立ち上がるようにかつ該キールトラスに沿って形成し、この壁体の上端部には、前記屋根ユニットの妻部上まで跳ね出す跳出し部を形成する。そして、この壁体によって、全ての屋根ユニットの妻側開口を塞ぐようにする。
また、前記互いに隣接する屋根ユニットの妻部間を覆う妻部間覆い材は、屋根ユニットの開閉に伴って、展開・折畳み可能であればどのような構成をとってもよいが、例えば柔軟性を有する膜材を互いに隣接する屋根ユニットの、互い隣接する開閉屋根フレームに取付けたり、あるいは後述する請求項４の場合のように、互いに回動自在に連結されたパネルを、前記一対の開閉屋根フレームに回動自在に連結することで構成してもよい。
【００１６】
そして、前記妻部間覆い材の上部には、上方に突出する突出プレートを、前記屋根ユニットが開いた際に、互いに隣接する屋根ユニットの妻部間に延在するように設け、一方、前記跳出し部にスカート部を前記突出プレートの前方において垂下して、該スカート部と前記突出プレートとを上下方向において重ねることで、前記跳出し部と妻部間覆い材との間の隙間から風雨が侵入するのを防止する。
【００１７】
請求項３の開閉式膜屋根における雨仕舞構造にあっては、前記屋根ユニットの妻側には、壁体が全ての屋根ユニットの妻側開口を塞ぐようにして立設されているので、壁体の外側から屋根ユニットの妻側開口に向かう風雨は、前記壁体によって遮断されて、該風雨の前記屋根ユニットの妻側開口への侵入が防止される。一方、前記互いに隣接する屋根ユニットの妻部間には、該妻部間を覆う妻部間覆い材が設けられているので、該屋根ユニットの上方から前記壁体に向かう風雨は、前記妻部間覆い材によって遮断されて、該風雨の前記屋根ユニットの妻側開口への侵入が防止される。
また、前記妻部間覆い材は、屋根ユニットの開閉に伴って、展開・折畳み可能に構成されているので、屋根ユニットの開閉動作に支障を来たすことがない。
【００１８】
請求項４の開閉式膜屋根における雨仕舞構造は、請求項３において、前記妻部間覆い材は、前記互いに隣接する屋根ユニットの妻部間に配設された一対のパネルで構成され、
一方のパネルは互いに隣接する屋根ユニットのうちの一方の屋根ユニットの開閉屋根フレームに回動自在に連結され、他方のパネルは他方の屋根ユニットの開閉屋根フレームに回動自在に連結され、
前記一対のパネルどうしは回動自在に連結されているものである。
【００１９】
前記一対のパネルは、それぞれの斜辺を屋根ユニットの開閉屋根フレームの傾斜に合わせた直角三角形状に形成するのが望ましい。
また、前記一対のパネルはそれぞれ、例えば、フレームを直角三角形状に組み立てることで、三角形フレームを形成し、この三角形フレームに膜材を張設することで形成される。
そして、前記一対のパネルどうしの連結は、蝶番等によってフレームどうしを回動自在に連結することで行われ、また、パネルと前記開閉屋根フレームとの連結は、パネルのフレームと、開閉屋根フレームとを蝶番等によって回動自在に連結することで行われる。
【００２０】
請求項４の開閉式膜屋根における雨仕舞構造にあっては、請求項３と同様の作用効果を得ることができるのは勿論のこと、前記妻部間覆い材は一対のパネルで構成され、一方のパネルは一方の屋根ユニットの開閉屋根フレームに回動自在に連結され、他方のパネルは他方の屋根ユニットの開閉屋根フレームに回動自在に連結され、前記一対のパネルどうしは回動自在に連結されているので、屋根ユニットを閉じていくと、一対のパネルはそれらの連結部が内側に移動するようにして屋根ユニット間に折り畳まれていき、一方、屋根ユニットを開いていくと、一対のパネルはそれらの連結部が外側に移動するようにして展開していき、隣接する屋根ユニットの妻部間を覆うようになる。
したがって、妻部間覆い材が、屋根ユニットの開閉に伴って、確実かつ円滑に展開・折畳まれることになる。
【００２１】
請求項５の開閉式膜屋根における雨仕舞構造は、請求項１〜４のいずれかにおいて、前記下端部どうしが連結された開閉屋根フレームの下端部間には、柔軟性を有する底部覆い材が前記開閉屋根フレームの下端部間を覆うようにして設けられているものである。
【００２２】
前記底部覆い材としては、例えばクロロプレンゴム、高伸度膜材、Ａ種膜材（四フッ化エチレン樹脂コーティングガラス繊維布）等が使用されるがこれに限るものではなく、また、透光性を有する膜材を使用することもできる。
前記底部覆い材を設ける場合、例えば、前記屋根ユニットを構成する一対の開閉屋根フレームのそれぞれの下端部に、屋根ユニットの棟方向に延在する帯状の板材を固定し、これら板材に前記底部覆い材の縁部を固定すればよい。
【００２３】
また、前記底部覆い材の一部には、貫通孔を形成し、この貫通孔の下方に樋を前記屋根ユニットの接続方向に延在するようにして設けるのが望ましい。
このようにすれば、前記屋根ユニット上に降った雨水は、底部覆い材上を流れ、前記貫通孔を通って樋に流入するので、この樋から雨水を外部に排出することができる。
【００２４】
請求項５の開閉式膜屋根における雨仕舞構造にあっては、請求項１〜４のいずれかと同様の作用効果を得ることができるのは勿論こと、互いに隣接する屋根ユニットの、互いに隣接する開閉屋根フレームの下端部間に、柔軟性を有する底部覆い材を前記開閉屋根フレームの下端部間を覆うようにして設けたので、この底部覆い材によって屋根ユニットどうしの接続部が覆われて該接続部における雨仕舞が良好なものとなる。
【００２５】
【発明の実施の形態】
以下、図面を参照して本発明の開閉式膜屋根における雨仕舞構造の実施の形態例について説明するが、その前に、複数の屋根ユニットを接続することによって構成される開閉式膜屋根の構造について説明する。
開閉式膜屋根は、図１および図２に示すように、互いに平行に配設されたアーチ状をなす２本の走行レール１０，１０と、該走行レール１０，１０に走行自在にかつ順続して設けられた複数の屋根ユニット１１…からなる開閉屋根１２，１２とを備えて構成されている。
【００２６】
前記走行レール１０，１０は、互いに平行に配設されたアーチ状をなす２本のキールトラス１３上に設けられている。したがって、開閉屋根１２，１２の下方には柱のない大きな空間を形成でき、各種、イベント、運動競技を行なう施設の膜屋根構造として最適なものとなる。
前記複数の屋根ユニット１１…からなる開閉屋根１２，１２は、前記走行レール１０，１０の長手方向中央部の両側に配設されている。したがって、開閉屋根１２，１２は、走行レール１０の中央部を起点して開閉するようになっている。
【００２７】
なお、上記では、走行レール１０，１０の長手方向中央部を境として、２つの開閉屋根１２，１２を配設し、これら開閉屋根１２，１２によって、中央部から両側に開閉可能に構成したが、走行レール１０に開閉屋根を一つだけ配設し、一方の側から他方の側に向けて、開閉するように構成してもよい。
【００２８】
前記屋根ユニット１１は、図３および図４に示すように、横断面視略三角形状をなすもので、前記走行レール１０の長さ方向において前後に配置された一対の開閉屋根フレーム１１ａ，１１ａを備えて構成されている。
前記一対の開閉屋根フレーム１１ａ，１１ａは、その左右両側に配置された一対の開閉ユニット１４，１４と、これら開閉ユニット１４，１４間に所定間隔をもって配置された複数の開閉体２１…と、前記開閉ユニット１４，１４間に、前記開閉体２１を貫通固定して架設された４本の鉄骨材１８…とを備えて構成されている。
【００２９】
前記開閉ユニット１４は、図４に示すように、上端部が回動自在に連結された一対の開閉フレーム１６，１６と、該開閉フレーム１６，１６間に伸折可能に架設され、伸折することによって前記開閉フレーム１６，１６をその上端部を支点として開閉可能とする繋ぎ材１７とを備えている。
また、前記開閉ユニット１４…は、互いに隣接する開閉ユニット１４，１４の、互いに隣接する開閉フレーム１６，１６の下端部を走行車輪２２に回動自在に連結することによって接続されている。
【００３０】
前記走行車輪２２は、前記キールトラス１３上に設けられた走行レール１０上を転動しながら走行するもので、先頭の走行車輪２２が駆動車輪とされている。先頭の走行車輪２２を駆動させるには、該走行車輪２２にモータ等を搭載して該モータによって直接駆動するようにしてもよいし、該走行車輪にワイヤ等を連結してこのワイヤ等をモータに連結して、間接的に駆動するようにしてもよい。
【００３１】
また、前記繋ぎ材１７は、一対のアーム１７ａ，１７ａで構成され、該アーム１７ａ，１７ａの一端部は前記開閉ユニット１４の開閉フレーム１６，１６の下端部にそれぞれ第１ヒンジ部２３，２３によって回動自在に連結され、該アーム１７ａ，１７ａの他端部どうしは第２ヒンジ部２４によって回動自在に連結されている。
前記第２ヒンジ部２４は、前記繋ぎ材１７のアーム１７ａ，１７ａを一直線上に伸ばした際における前記第１ヒンジ部２３，２３どうしを結ぶ直線から下方に離間した位置に偏心するように配置されており、また、該アーム１７ａ，１７ａのそれぞれの他端部には、繋ぎ材１７を一直線上に伸ばした際に互いに当接して該繋ぎ材１７をほぼ一直線状に保持する当接板２５，２５が設けられている。
【００３２】
そして、上記開閉ユニット１４は、図４および図６に示すように、前記各アーム１７ａ，１７ａが第１ヒンジ部２３，２３を支点として上下方向に回動しつつ第１ヒンジ部２３，２３どうしが接離するとともに、第２ヒンジ部２４が上下方向に移動することによって、繋ぎ材１７を第２ヒンジ部２４から伸折することで開閉するようになっている。
また、開閉ユニット１４の開閉フレーム１６，１６が開いている状態では、繋ぎ材１７に開閉フレーム１６，１６から圧縮力が作用した場合、第２ヒンジ部２４が若干下方に移動して繋ぎ材１７が第２ヒンジ部２４から下方に若干折れ曲がって前記当接板２５，２５が互いに当接して突っ張った状態に保持され、これによって、開閉フレーム１６，１６を開いた状態に保持することができる。
【００３３】
前記開閉体２１は、図７に示すように、上端部が回動自在に連結された一対の開閉フレーム２１ａ，２１ａによって構成されている。また、開閉体２１…は、互いに隣接する開閉体２１，２１の互いに隣接するそれぞれの開閉フレーム２１ａ，２１ａの下端部どうしを回動自在に連結することによって、接続されている。
【００３４】
前記４本の鉄骨材１８…は、図３および図４に示すように、前記一対の開閉ユニット１４，１４間において、上下に２本ずつ架設されており、上側の２本の鉄骨材１８，１８の端部は開閉ユニット１４の開閉フレーム１６，１６の上端部に固定され、また、下側の２本の鉄骨材１８，１８の端部は開閉ユニット１４の開閉フレーム１６，１６の下端部に固定されている。
また、前記上側の２本の鉄骨材１８，１８の中途部には、図７に示すように、前記開閉体２１の開閉フレーム２１ａ，２１ａの上端部が固定され、前記下側の２本の鉄骨材１８，１８の中途部には、前記開閉体２１の開閉フレーム２１ａ，２１ａの下端部が固定されている。
なお、前記上下に離間する鉄骨材１８，１８間には、図３に示すように、複数のラチス材２０が該鉄骨材１８，１８に対して斜めに架設されている。
【００３５】
そして、上記のように構成された屋根ユニット１１では、走行車輪２２を走行レール上を走行させることによって、開閉ユニット１４，１４が開閉体２１…とともに開閉し、これによって、一対の開閉屋根フレーム１１ａ，１１ａがその上縁部を軸として開閉するようになっている。
【００３６】
また、前記屋根ユニット１１は、前記開閉ユニット１４の繋ぎ材１７が伸びることによって、開閉ユニット１４を開いた状態に保持しているが、該開閉ユニット１４を閉じ始める際には、前記繋ぎ材１７を若干上方に折曲する必要がある。このため、前記開閉ユニット１１には、前記繋ぎ材１７を折曲する機構が設けられている。
この機構としては、図示は省略するが、例えば、開閉ユニット１４の一方の開閉フレーム１６の下端部にカムを設け、一方前記開閉ユニット１４に隣接する開閉ユニット１４の繋ぎ材１７に前記カムまで延出する被押圧部を設け、前記カムによって前記被押圧部を下方から押圧することで、前記繋ぎ材１７をその前の開閉ユニット１４が折り畳まれる直前に、若干折曲するように構成すればよい。
【００３７】
また、前記屋根ユニット１１の開閉屋根フレーム１１ａ，１１ａの上面側には、膜材３０，３０が以下のようにして張設されている。すなわち、図４および図５に示すように、前記開閉屋根フレーム１１ａの上面には、該開閉屋根フレーム１１ａの傾斜方向に沿って延在するアルミファスナ３１ａ…が、開閉屋根フレーム１１ａの長さ方向（図４において紙面と直交する方向）に所定間隔で固定されるとともに、開閉屋根フレーム１１ａの上下方向中央部において、開閉フレームの１１ａの長さ方向に延在するアルミファスナ３１ｂが固定されており（図５参照）、これらアルミファスナ３１ａ…，３１ｂには、膜材３０が開閉屋根フレーム１１ａの上面を覆うようにして敷設されている。なお、この膜材３０は、四フッ化エチレン樹脂コーティングガラス繊維布等で形成された透光性を有するものである。
【００３８】
一方、前記開閉屋根フレーム１１ａの上端部には、図８に示すように、帯状の板材３２が前記屋根ユニット１１の棟方向に延在するようにして固定されており、この板材３２には、その長手方向に所定間隔でボルト３３…が立設されている。なお、前記ボルト３３には図示しない樹脂キャップが被されている。
前記板材３２には、膜材３０の上端部が当接されており、前記ボルト３３には、スプリングワッシャ（図示略）がはめ込まれるとともにナット３４が螺合され、このナット３４を締め付けることで、前記スプリングワッシャと板材３２とで前記膜材３０の上端部が挟み付けられ、これによって前記膜材３０の上端部が開閉屋根フレーム１１ａの上端部に固定されている。
【００３９】
また、前記開閉屋根フレーム１１ａの下端部には、図１０に示すように、帯状の板体３５が前記屋根ユニット１１の棟方向に延在するようにして固定されており、この板材３５には、その長手方向に所定間隔でボルト３３…が立設されている。
前記板材３５には、膜材３０の下端部が当接されており、前記ボルト３３には、スプリングワッシャ（図示略）がはめ込まれるとともにナット３４が螺合され、このナット３４を締め付けることで、前記スプリングワッシャと板材３５とで前記膜材３０の下端部が挟み付けられ、これによって前記膜材３０の下端部が開閉屋根フレーム１１ａの下端部に固定されている。
【００４０】
また、前記屋根ユニット１１の頂部には、図８に示すように、頂部覆い材３６が該屋根ユニット１１の頂部を覆うようにして設けられている。前記頂部覆い材３６はクロロプレンゴム等で形成された柔軟性を有するものであり、その一方の縁部は、前記屋根ユニット１１の一方の開閉屋根フレーム１１ａの上端部に固定された前記板材３２に当接されたうえで、前記ナット３４を締め付けることで、前記スプリングワッシャと板材３２とで挟み付けられ、これによって開閉屋根フレーム１１ａの上端部に固定されている。
また、前記頂部覆い材３６の他方の縁部は、前記屋根ユニット１１の他方の開閉フレーム１１ａの上端部に上記と同様にして固定されている。
【００４１】
前記頂部覆い材３６の内側には、板ばね（弾性部材）３７…が前記屋根ユニット１１の棟方向に所定間隔で複数配設されている。各板ばね３７は、それぞれステンレスで形成されたもので、上方に湾曲するように、その両端部をそれぞれ前記一対の開閉屋根フレーム１１ａ，１１ａの上端部にある鉄骨材１８，１８に、溶接またはボルト止め等によって固定して設けられている。
また、前記板ばね３７は、前記頂部覆い材３６の内面に弾性的に当接されており、これによって、頂部覆い材３６は、屋根ユニット１１を開いた状態において、断面略半円状に維持されている。
【００４２】
一方、前記屋根ユニット１１が閉じていくと、図９に示すように、前記開閉屋根フレーム１１ａ，１１ａの鉄骨材１８，１８が開閉屋根フレーム１１ａ，１１ａの連結部より下方に移動していくことで、前記頂部覆い材３６が開閉屋根フレーム１１ａ，１１ａの連結部に近づくとともに、前記板ばね３７が変形し前記頂部覆い材３６に弾性的に当接することで、前記頂部覆い材３６の形状が断面略半円状に維持される。
【００４３】
したがって、前記頂部覆い材３６は屋根ユニット１１の頂部において、ばたつくことなく安定した状態に維持されるとともに、屋根ユニット１１の開閉の際にも、常に安定した状態（皺のできない状態）に維持され、屋根ユニット１１の頂部に接触することがない。
また、前記板ばね３７…は上方に湾曲しており、頂部覆い材３６に内接した状態で滑らかに当接するので、板ばね３７…によって頂部覆い材に傷等が付くことがない。さらに、前記板ばね３７…は、屋根ユニット１１の棟方向に所定間隔で複数配設されているので、より安定的に頂部覆い材３６を張った状態に維持することができる。
【００４４】
前記互いに隣接する屋根ユニット１１，１１の互いに隣接する開閉屋根フレーム１１ａ，１１ａの下端部間には、図１０に示すように、底部覆い材３８が開閉屋根フレーム１１ａ，１１ａの下端部間を覆うようにして設けられている。この底部覆い材３８は、前記頂部覆い材３６と同様に、クロロプレンゴム等で形成された柔軟性を有するものであり、その一方の縁部は、前記一方の屋根ユニット１１の開閉屋根フレーム１１ａの下端部に固定された前記板材３５に当接されたうえで、前記ナット３４を締め付けることで、前記スプリングワッシャと板材３５とで挟み付けられ、これによって開閉屋根フレーム１１ａの下端部に固定されている。
また、前記底部覆い材３８の他方の縁部は、前記他方の屋根ユニット１１の開閉フレーム１１ａの下端部に上記と同様にして固定されている。
そして、前記底部覆い材３８は、記屋根ユニット１１，１１が閉じていくと、図１１に示すように、互いに隣接する開閉屋根フレーム１１ａ，１１ａが立ち上がることで、下方に湾曲した状態で畳まれるようになっている。
このように、前記屋根ユニット１１，１１どうしの接続部においては、前記底部覆い材３８によって該接続部が覆われているので、その雨仕舞が良好なものとなる。
【００４５】
また、前記底部覆い材３８は、図１２に示すように、前記屋根ユニット１１の長さ方向中央部から両端部側に向けて下方に傾斜するように設けられている。なお、前記底部覆い材３８の雨勾配は、１／５０程度に設定されている。
前記底部覆い材３８のそれぞの端部には、それぞれ貫通穴３８ａが形成されており、この貫通穴３８ａの下方には樋４０が設けられている。この樋４０は、前記屋根ユニット１１…の接続方向に延在する横断面略コ字状の長尺なもので、前記走行レール１０の側部に固定されている。
また、前記樋４０には雨勾配が付けられており、その下流側の端部の側壁には横抜きドレイン（図示略）が接続され、該横抜きドレインは、キールトラス１３の側面を貫通して外部に延出されている。
【００４６】
そして、前記屋根ユニット１１に降って底部覆い材３８上に集中する雨水は、底部覆い材３８の勾配に沿って該底部覆い材３８上を流れ、さらに、貫通穴３８ａを通って前記樋４０に流入し、この樋４０から横抜きドレインに流出するので、該雨水を外部に確実に排出することができる。
また、前記底部覆い材３８は、その長さ方向中央部から両端部側に向けて下方に傾斜するように雨勾配が付けれているので、底部覆い材３８に集中した雨水は、その中央部から２分されて両端部側に流れ、該両端部に形成された貫通穴３８ａ，３８ａを通って前記樋４０に流入し、この樋４０から横抜きドレインを介して外部に確実に排出されるので、雨水を効率的に排出することができる。
【００４７】
次に、前記屋根ユニット１１…の妻側における雨仕舞構造について説明する。すなわち、前記屋根ユニット１１…の妻側には、図１３に示すように、壁体４１が立設されている。この壁体４１は、前記キールトラス１３から立ち上がるようにかつ該キールトラス１３に沿って形成されたもので、前記屋根ユニット１１…の妻側開口を塞ぐようにして設けられている。
また、前記壁体４１の上端部には、前記屋根ユニット１１の妻部上まで跳ね出す跳出し部４２が形成されており、この跳出し部４２の下面には、図１４に示すように、スカート部４３が垂下されている。
【００４８】
また、前記互いに隣接する屋根ユニット１１，１１の妻部間には、図１５および図１６に示すように、該妻部間を覆う妻部間覆い材４５が設けられており、この妻部間覆い材４５は、屋根ユニット１１の開閉に伴って、展開・折畳み可能に構成されている。
以下に前記妻部間覆い材４５について詳しく説明する。すなわち、まず前記妻部間覆い材４５は、図１７に示すように、互いに隣接する屋根ユニット１１，１１の妻部間に配設された一対のパネル４６，４６で構成されている。
【００４９】
前記パネル４６は、斜辺を前記屋根ユニット１１の開閉屋根フレーム１１ａの傾斜に合わせた直角三角形状に形成されており、フレーム４６ａを直角三角形状に組み立てることで、三角形フレームを形成し、この三角形フレームに膜材４７を張設することで形成されている。
前記パネル４６，４６の互いに対向する部分には、図１８に示すように、断面Ｌ字状をなすアングル材４８，４８と板材４９，４９とが固定されており、これら板材４９，４９に蝶番５０のそれぞれの片側が取付けられることで、前記パネル４６，４６が回動自在に連結されている。
【００５０】
また、前記アングル材４８には、前記膜材４７の縁部が当接されており、該アングル材４８と板材５１とをボルト５２で締め付けることにより、これらアングル材４８と板材５１とで膜材４７の縁部が挾持されている。また、前記パネル４６，４６の互いに対向する側端面にある前記板材５１，５１の表面には、それぞれクロロプレンゴム等で形成されたシール材５３，５３が取付けられており、前記パネル４６，４６が開いた状態において、シール材５３，５３どうしが密着することで、パネル４６，４６どうしの接合部のシールを行うようになっている。
【００５１】
さらに、前記パネル４６の、前記開閉屋根フレーム１１ａ側に沿う縁部には、アングル材４８が固定されており、このアングル材４８と板材５１とをボルト５２で締め付けることにより、これらアングル材４８と板材５１とで膜材４７の縁部が挾持されている。
一方、前記開閉屋根フレーム１１ａには、板材５５が固定されており、この板材５５と板材５６とをボルト５２で締め付けることにより、これら板材５５，５６とで前記膜材３０の妻側の縁部が挾持されている。
また、前記板材５５，５６とには蝶番５７の一方の片が挾持されており、該蝶番５７の他方の片は、前記アングル材４８に固定され、これによって、前記パネル４６は前記開閉屋根フレーム１１ａに回動自在に連結されている。
【００５２】
そして、上記のように構成された妻部間覆い材４５は、屋根ユニット１１…を閉じていくと、図１６および図１９に示すように、一対のパネル４６，４６の連結部（蝶番５０）が内側に移動するようにして折り曲げられていくとともに、一対のパネル４６，４６が前記蝶番５７によって内側に回動することで、隣接する屋根ユニット１１，１１間に折り畳まれていき、一方、屋根ユニット１１を開いていくと、図１５、図１７および図１８に示すように、一対のパネルは４６，４６それらの連結部（蝶番５０）が外側に移動するようにして展開していくとともに、一対のパネル４６，４６が前記蝶番５７によって外側に回動することで、隣接する屋根ユニット１１，１１の妻部間を覆う。したがって、妻部間覆い材４５を、屋根ユニット１１…の開閉に伴って、確実かつ円滑に展開・折畳むことができるとともに、妻部間覆い材４５が展開すると、図１３に示すように、前記屋根ユニット１１…の上方から前記壁体４１に向かう、矢印Ａで示す風雨は、前記妻部間覆い材４５によって遮断されて、屋根ユニット１１…の妻側開口に回り込むことがない。
【００５３】
一方、前記屋根ユニット１１…の妻側には、壁体４１が全ての屋根ユニット１１…の妻側開口を塞ぐようにして立設されているので、図１３に示すように、壁体４１の外側から屋根ユニット１１…の妻側開口に向かう、矢印Ｂで示す風雨は、前記壁体４１によって遮断される。
このように、屋根ユニット１１…の妻側開口に直接吹き付ける風雨Ｂは、壁体４１によって遮断され、屋根ユニット１１…の妻側開口に回り込もうとする風雨Ａは前記妻部間覆い材４５によって遮断されるので、前記風雨Ａ，Ｂが前記屋根ユニット１１…の妻側開口へ侵入するのを防止することができる。
【００５４】
また、前記妻部間覆い材４５の上部には、図１４に示すように、上方に突出する突出プレート５０が、前記屋根ユニット１１…が開いた際に、互いに隣接する屋根ユニット１１…の妻部間に延在するようにして設けられている。
また、前記突出プレート５０は、前記跳出し部４２に垂下されたスカート部４３より手前側に配置されるとともに、該スカート部４３と上下方向において重ねられている。
したがって、これら突出プレート５０とスカート部４３とによって、前記跳出し部４２と妻部間覆い材４５との間の隙間から風雨が侵入するのを防止することができる。
【００５５】
【発明の効果】
以上説明したように、本発明の請求項１の開閉式膜屋根における雨仕舞構造によれば、上端部どうしが回動自在に連結された一対の開閉屋根フレームを有する屋根ユニットの頂部に、柔軟性を有する頂部覆い材を前記屋根ユニットの頂部を覆うようにして設け、この頂部覆い材の内側において、弾性部材を上方に湾曲するように、その両端部をそれぞれ前記一対の開閉屋根フレームの上端部に固定し、前記弾性部材が、前記頂部覆い材の内面に弾性的に当接するようにしたので、該頂部覆い材は、前記弾性部材によって常に張った状態に維持されることになる。したがって、前記頂部覆い材を屋根ユニットの頂部において、ばたつくことなく安定した状態に維持することができるともに、屋根ユニットの開閉の際にも、常に安定した状態（張った状態）に維持することができる。
【００５６】
また、前記頂部覆い材は、常に張った状態に維持されているので、屋根ユニットの頂部に接触することがなく、しかも、前記弾性部材が上方に湾曲しており、頂部覆い材に内接した状態で滑らかに当接しているので、頂部覆い材に傷等が付くのを防止することができる。
【００５７】
請求項２の開閉式膜屋根における雨仕舞構造によれば、請求項１と同様の効果を得ることができるのは勿論のこと、前記弾性部材を板ばねで構成し、該板ばねを前記屋根ユニットの棟方向に所定間隔で複数配設したので、頂部覆い材の内面の複数箇所に、板ばねの上面が面接触した状態で当接するので、より安定的に頂部覆い材を張った状態に維持することができる。
【００５８】
請求項３の開閉式膜屋根における雨仕舞構造によれば、複数の屋根ユニットの妻側に、壁体を全ての屋根ユニットの妻側開口を塞ぐようにして立設し、互いに隣接する屋根ユニットの妻部間に、該妻部間を覆う妻部間覆い材を設けたので、壁体の外側から屋根ユニットの妻側開口に向かう風雨は、前記壁体によって遮断され、一方、前記屋根ユニットの上方から前記壁体に向かう風雨は、前記妻部間覆い材によって遮断されるので、風雨の前記屋根ユニットの妻側開口への侵入を防止することができる。
また、前記妻部間覆い材は、屋根ユニットの開閉に伴って、展開・折畳み可能に構成されているので、屋根ユニットの開閉動作に支障を来たすことがない。
【００５９】
請求項４の開閉式膜屋根における雨仕舞構造によれば、請求項３と同様の効果を得ることができるのは勿論のこと、前記妻部間覆い材を一対のパネルで構成し、一方のパネルを一方の屋根ユニットの開閉屋根フレームに回動自在に連結し、他方のパネルを他方の屋根ユニットの開閉屋根フレームに回動自在に連結し、前記一対のパネルどうしを回動自在に連結したので、屋根ユニットを閉じていくと、一対のパネルはそれらの連結部が内側に移動するようにして屋根ユニット間に折り畳まれていき、一方、屋根ユニットを開いていくと、一対のパネルはそれらの連結部が外側に移動するようにして展開していくので、妻部間覆い材を屋根ユニットの開閉に伴って、確実かつ円滑に展開・折畳むことができる。
【００６０】
請求項５の開閉式膜屋根における雨仕舞構造によれば、請求項１〜４のいずれかと同様の効果を得ることができるのは勿論のこと、互いに隣接する屋根ユニットの、互いに隣接する開閉屋根フレームの下端部間に、柔軟性を有する底部覆い材を前記開閉屋根フレームの下端部間を覆うようにして設けたので、この底部覆い材によって屋根ユニットどうしの接続部が覆われて該接続部における雨仕舞を良好なものとすることができる。
【図面の簡単な説明】
【図１】本発明の開閉式膜屋根における雨仕舞構造が適用される開閉式膜屋根の一例を示すもので、その全閉状態を示す概略斜視図である。
【図２】同、開閉式膜屋根の全開状態を示す概略斜視図である。
【図３】同、一つの屋根ユニットを示す斜視図である。
【図４】同、開閉式膜屋根の屋根ユニットが開いた状態を示す側面図である。
【図５】図３におけるＸ円部の拡大図である。
【図６】本発明の開閉式膜屋根における雨仕舞構造が適用される開閉式膜屋根の一例を示すもので、開閉式膜屋根の屋根ユニットが閉じた状態を示す側面図である。
【図７】同、開閉体を示す側面図である。
【図８】同、開いた状態の屋根ユニットの頂部を示す側面図である。
【図９】同、閉じた状態の屋根ユニットの頂部を示す側面図である。
【図１０】同、開いた状態の屋根ユニットどうしの接続部を示す側面図である。
【図１１】同、閉じた状態の屋根ユニットどうしの接続部を示す側面図である。
【図１２】同、屋根ユニットの一部を示す正面図である。
【図１３】同、屋根ユニットと壁体とを示す要部の正面図である。
【図１４】同、屋根ユニットと壁体とに設けられたスカート部と突出プレートを示す正面図である。
【図１５】同、妻部覆い材が展開している状態を示す屋根ユニットの概略斜視図である。
【図１６】同、妻部覆い材が畳まれている状態を示す屋根ユニットの概略斜視図である。
【図１７】同、妻部覆い材が展開している状態を示す屋根ユニットの側面図である。
【図１８】図１７におけるＡ−Ａ矢視図である。
【図１９】妻部覆い材が畳まれている状態を示す要部の平断面図である。
【符号の説明】
１１  屋根ユニット
１１ａ  開閉屋根フレーム
３０  膜材
３６  頂部覆い材
３７  板ばね（弾性部材）
３８  底部覆い材
４１  壁体
４５  妻部間覆い材
４６  パネル
【図１】
0003777247.tif 000002
【図２】
0003777247.tif 000003
【図３】
0003777247.tif 000004
【図４】
0003777247.tif 000005
【図５】
0003777247.tif 000006
【図６】
0003777247.tif 000007
【図７】
0003777247.tif 000008
【図８】
0003777247.tif 000009
【図９】
0003777247.tif 000010
【図１０】
0003777247.tif 000011
【図１１】
0003777247.tif 000012
【図１２】
0003777247.tif 000013
【図１３】
0003777247.tif 000014
【図１４】
0003777247.tif 000015
【図１５】
0003777247.tif 000016
【図１６】
0003777247.tif 000017
【図１７】
0003777247.tif 000018
【図１８】
0003777247.tif 000019
【図１９】
0003777247.tif 000020